(57)【要約】      （修正有）【課題】広画角、高ズーム比、および全ズーム範囲にわたる高い光学性能の点で有利なズームレンズを提供する。【解決手段】ズームレンズは、物体側から像側へ順に、正の屈折力を有する第１レンズ群Ｌ１と、負の屈折力を有する第２レンズ群Ｌ２と、変倍のために移動する少なくとも１つのレンズ群Ｌ３・Ｌ４とを含み、隣り合うレンズ群の各組は、変倍のために間隔が変化し、第２レンズ群Ｌ２に含まれる負レンズのアッベ数および部分分散比をそれぞれνｄｎおよびθｇＦｎとして、条件式θｇＦｎ−（−１．６６５０×１０−７・νｄｎ３＋５．２１３０×１０−５・νｄｎ２−５．６５６０×１０−３・νｄｎ＋０．７３７０）＞０、０．５４５０＜θｇＦｎ、および５０．０＜νｄｎ＜８５．０を満足する。【選択図】図１
2020012871.tif 000002
【特許請求の範囲】
【請求項１】
物体側から像側へ順に、正の屈折力を有する第１レンズ群と、負の屈折力を有する第２レンズ群と、変倍のために移動する少なくとも１つのレンズ群とを含み、隣り合うレンズ群の各組は、変倍のために間隔が変化し、前記第２レンズ群に含まれる負レンズＧ２ｎのアッベ数および部分分散比をそれぞれνｄｎおよびθｇＦｎとして、条件式
θｇＦｎ−（−１．６６５０×１０−７・νｄｎ３＋５．２１３０×１０−５・νｄｎ２−５．６５６０×１０−３・νｄｎ＋０．７３７０）＞０、
０．５４５０＜θｇＦｎ、および
５０．０＜νｄｎ＜８５．０
を満足することを特徴とするズームレンズ。
ここで、アッべ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【請求項２】
前記第１レンズ群に含まれる正レンズＧ１ｐのアッベ数および部分分散比をそれぞれνｄｐおよびθｇＦｐとして、条件式
θｇＦｐ−｛（０．５８２８−０．５４３６）／（３６．２６−６０．４９）＊（νｄｐ−６０．４９）＋０．５４３６｝＞０
を満足することを特徴とする請求項１に記載のズームレンズ。
【請求項３】
前記第２レンズ群の焦点距離をｆ２とし、前記負レンズＧ２ｎの焦点距離をｆｎとして、条件式
１＜ｆｎ／ｆ２≦１０
を満足することを特徴とする請求項１または請求項２に記載のズームレンズ。
【請求項４】
前記第１レンズ群の焦点距離をｆ１とし、前記正レンズＧ１ｐの焦点距離をｆｐとして、条件式
１＜ｆｐ／ｆ１≦１０
を満足することを特徴とする請求項２に記載のズームレンズ。
【請求項５】
前記ｄ線に対する前記負レンズＧ２ｎの屈折率をｎｄｎとして、条件式
１．４８０＜ｎｄｎ＜１．７５０
を満足することを特徴とする請求項１ないし請求項４のうちいずれか１項に記載のズームレンズ。
【請求項６】
変倍のために移動する前記少なくとも１つのレンズ群は、変倍のために移動する１つまたは２つのレンズ群のうちのいずれかから構成されていることを特徴とする請求項１ないし請求項５のうちいずれか１項に記載のズームレンズ。
【請求項７】
前記第１レンズ群は、合焦のために移動するレンズ群を含むことを特徴とする請求項１ないし請求項６のうちいずれか１項に記載のズームレンズ。
【請求項８】
変倍のために移動する前記少なくとも１つのレンズ群は、合焦のために移動するレンズ群を含むことを特徴とする請求項１ないし請求項６のうちいずれか１項に記載のズームレンズ。
【請求項９】
前記第２レンズ群は、変倍のために移動するレンズ群を含むことを特徴とする請求項１ないし請求項６のうちいずれか１項に記載のズームレンズ。
【請求項１０】
前記第２レンズ群は、広角端から望遠端への変倍のために像側に移動する第２Ａレンズ群および第２Ｂレンズを含み、広角端から望遠端への前記第２Ａレンズ群の移動量および前記第２Ｂレンズの移動量をそれぞれｍ２Ａおよびｍ２Ｂとして、条件式
０．７＜ｍ２Ａ／ｍ２Ｂ＜１．３
を満足することを特徴とする請求項１に記載のズームレンズ。
【請求項１１】
請求項１ないし請求項１０のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関するものである。
【背景技術】
【０００２】
例えば、スチルカメラ、ビデオカメラ、テレビカメラ、シネマカメラおよび監視カメラ等のカメラ（撮像装置）の高機能化にともない、それに用いるズームレンズには、高変倍比、大口径比、および高い光学性能が求められている。特に、プロフェッショナル・ユースのためのテレビカメラや映画用カメラにおけるＣＣＤやＣＭＯＳデバイス等の撮像デバイスは、撮像範囲全体にわたる解像力の均一性に優れている。それゆえ、ズームレンズには、その像面における解像力の均一性や色収差の少なさが要求されている。
【０００３】
物体側から像側へ順に、変倍のためには移動しない正の屈折力のレンズ群と、変倍のために移動する負の屈折力のレンズ群と、変倍のために移動するレンズ群を含む後群とを含む所謂ポジティブリード型のズームレンズが知られている（特許文献１）。第１レンズ群が正の屈折力を有するポジティブリード型のズームレンズは、第１レンズ群が負の屈折力を有するネガティブリード型のズームレンズに比して、高変倍比化に有利である。
【先行技術文献】
【特許文献】
【０００４】
【特許文献１】特開２０１６−４５３０９号公報
【発明の概要】
【発明が解決しようとする課題】
【０００５】
高い変倍比および高い光学性能を有するズームレンズは、全変倍範囲において軸上色収差と倍率色収差とがバランスよく補正されている必要がある。しかしながら、小型化のためにレンズの枚数を少なくしつつ各レンズ群の屈折力を強めると、諸収差が増大し、高い光学性能を得るのが困難となる。広画角および高変倍比を達成しようとすると、全変倍範囲における軸上色収差および倍率色収差の十分な補正は困難であった。本発明は、例えば、広画角、高変倍比、および全変倍範囲にわたる高い光学性能の点で有利なズームレンズを提供することを目的とする。
【課題を解決するための手段】
【０００６】
本発明の一つの側面は、物体側から像側へ順に、正の屈折力を有する第１レンズ群と、負の屈折力を有する第２レンズ群と、変倍のために移動する少なくとも１つのレンズ群とを含み、隣り合うレンズ群の各組は、変倍のために間隔が変化し、前記第２レンズ群に含まれる負レンズＧ２ｎのアッベ数および部分分散比をそれぞれνｄｎおよびθｇＦｎとして、条件式
θｇＦｎ−（−１．６６５０×１０−７・νｄｎ３＋５．２１３０×１０−５・νｄｎ２−５．６５６０×１０−３・νｄｎ＋０．７３７０）＞０、
０．５４５０＜θｇＦｎ、および
５０．０＜νｄｎ＜８５．０
を満足することを特徴とするズームレンズである。
【０００７】
ここで、アッべ数νｄおよび部分分散比θｇＦは、それぞれ、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【発明の効果】
【０００８】
本発明によれば、例えば、広画角、高変倍比、および全変倍範囲にわたる高い光学性能の点で有利なズームレンズを提供することができる。
【図面の簡単な説明】
【０００９】
【図１】実施例１に係るズームレンズの広角端での断面図
【図２】実施例１に係るズームレンズの収差図
【図３】実施例２に係るズームレンズの広角端での断面図
【図４】実施例２に係るズームレンズの収差図
【図５】実施例３に係るズームレンズの広角端での断面図
【図６】実施例３に係るズームレンズの収差図
【図７】実施例４に係るズームレンズの広角端での断面図
【図８】実施例４に係るズームレンズの収差図
【図９】実施例５に係るズームレンズの広角端での断面図
【図１０】実施例５に係るズームレンズの収差図
【図１１】実施例６に係るズームレンズの広角端での断面図
【図１２】実施例６に係るズームレンズの収差図
【図１３】実施例７に係るズームレンズの広角端での断面図
【図１４】実施例７に係るズームレンズの収差図
【図１５】θｇＦ−νｄ図
【図１６】実施形態に係る撮像装置の構成例を示す図
【発明を実施するための形態】
【００１０】
以下、添付図面を参照して本発明の実施形態を説明する。なお、実施形態を説明するための全図を通して、原則として（断りのない限り）、同一の部材等には同一の符号を付し、その繰り返しの説明は省略する。
【００１１】
〔ズームレンズに係る実施形態〕
本実施形態に係るズームレンズは、物体側から像側へ順に、正の屈折力を有する第１レンズ群と、負の屈折力を有する第２レンズ群と、変倍のために移動する少なくとも１つのレンズ群とを含む。隣り合うレンズ群の各組は、変倍のために間隔が変化する。第２レンズ群に含まれる負レンズＧ２ｎのアッベ数および部分分散比をそれぞれνｄｎおよびθｇＦｎとして、以下の条件式を満足するものとしている。当該条件式は、
θｇＦｎ−（−１．６６５０×１０−７・νｄｎ３＋５．２１３０×１０−５・νｄｎ２−５．６５６０×１０−３・νｄｎ＋０．７３７０）＞０、
０．５４５０＜θｇＦｎ、および
５０．０＜νｄｎ＜８５．０
である。
【００１２】
但し、アッべ数νｄおよび部分分散比θｇＦは、それぞれ後述の２式で表される。ここで、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率をそれぞれＮｇ、ＮＦ、ＮＣおよびＮｄとする。当該２式は、
νｄ＝（Ｎｄ−１）／（ＮＦ−ＮＣ）、および
θｇＦ＝（Ｎｇ−ＮＦ）／（ＮＦ−ＮＣ）
である。
【００１３】
以下、本実施形態における実施例を説明する。なお、変倍のために移動する上記の少なくとも１つのレンズ群は、変倍のために移動する１つまたは２つのレンズ群のうちのいずれかから構成されているものとしうる。ここで、上記の第２レンズ群も変倍のために移動するものとしうる。当該第２レンズ群は、第２Ａレンズ群および第２Ｂレンズ群から構成されうる。第２Ａレンズ群および第２Ｂレンズ群は、いずれも広角端から望端への変倍のために、像側へ移動し、かつ、それらの間の間隔が減少または増加しうる。また、上記の第１レンズ群は、合焦のために移動するレンズ群を含みうる。また、変倍のために移動する上記の少なくとも１つのレンズ群は、合焦のために移動するレンズ群を含みうる。
【００１４】
＜実施例１＞
図１は、実施例１に係るズームレンズの広角端での断面図である。図２は、実施例１に係るズームレンズの収差図である。図２において、（Ａ）および（Ｂ）は、それぞれ広角端での収差図および望遠端での収差図である。
【００１５】
図１において、第１レンズ群Ｌ１、開口絞りＳＰおよび第４レンズ群Ｌ４は、いずれも変倍（ズーミング）のためには不動である。広角端から望遠端への変倍のために、第２レンズ群Ｌ２は、像側へ移動し、第３レンズ群Ｌ３は、物体側に凸の軌跡で移動する。また、第１レンズ群Ｌ１は、合焦（フォーカシング）のために移動するレンズ群を含みうる。
【００１６】
＜実施例２＞
図３は、実施例２に係るズームレンズの広角端での断面図である。図４は、実施例２に係るズームレンズの収差図である。図４において、（Ａ）および（Ｂ）は、それぞれ広角端での収差図および望遠端での収差図である。
【００１７】
図３において、第１レンズ群Ｌ１、開口絞りＳＰおよび第５レンズ群Ｌ５は、いずれも変倍のためには不動である。広角端から望遠端への変倍のために、第２レンズ群Ｌ２は、像側へ移動し、第３レンズ群Ｌ３および第４レンズＬ４は、いずれも物体側に凸の軌跡で移動する。また、第１レンズ群Ｌ１は、合焦のために移動するレンズ群を含みうる。
【００１８】
＜実施例３＞
図５は、実施例３に係るズームレンズの広角端での断面図である。図６は、実施例３に係るズームレンズの収差図である。図６において、（Ａ）および（Ｂ）は、それぞれ広角端での収差図および望遠端での収差図である。
【００１９】
図５において、開口絞りＳＰは、変倍のためには不動である。広角端から望遠端への変倍のために、第１レンズ群Ｌ１は、物体側へ移動し、第２レンズ群Ｌ２は、像側へ移動し、第３レンズ群Ｌ３は、物体側に凸の軌跡で移動する。また、第４レンズ群は、広角端から望遠端への変倍のために移動し、かつ無限遠から有限距離への合焦のために物体側へ移動する。ここで、実線は、無限遠での軌跡を示し、破線は、至近距離での軌跡を示す。
【００２０】
＜実施例４＞
図７は、実施例４に係るズームレンズの広角端での断面図である。図８は、実施例４に係るズームレンズの収差図である。図８において、（Ａ）および（Ｂ）は、それぞれ広角端での収差図および望遠端での収差図である。
【００２１】
図７において、第１レンズ群Ｌ１、開口絞りＳＰおよび第５レンズ群Ｌ５は、いずれも変倍のためには不動である。広角端から望遠端への変倍のために、第２レンズ群Ｌ２は、像側へ移動し、第３レンズ群Ｌ３は、物体側へ移動する。第４レンズＬ４は、広角端から望遠端への変倍のために移動し、かつ無限遠から有限距離への合焦のために像側へ移動する。ここで、実線は、無限遠での軌跡を示し、破線は、至近距離での軌跡を示す。
【００２２】
＜実施例５＞
図９は、実施例５に係るズームレンズの広角端での断面図である。図１０は、実施例５に係るズームレンズの収差図である。図１０において、（Ａ）および（Ｂ）は、それぞれ広角端での収差図および望遠端での収差図である。
【００２３】
各レンズ群の移動は、実施例１におけるそれと同様である。すなわち、図９において、第１レンズ群Ｌ１、開口絞りＳＰおよび第４レンズ群Ｌ４は、いずれも変倍のためには不動である。広角端から望遠端への変倍のために、第２レンズ群Ｌ２は、像側へ移動し、第３レンズ群Ｌ３は、物体側に凸の軌跡で移動する。また、第１レンズ群Ｌ１は、合焦のために移動するレンズ群を含みうる。
【００２４】
＜実施例６＞
図１１は、実施例６に係るズームレンズの広角端での断面図である。図１２は、実施例６に係るズームレンズの収差図である。図１２において、（Ａ）および（Ｂ）は、それぞれ広角端での収差図および望遠端での収差図である。
【００２５】
図１１において、第１レンズ群Ｌ１、開口絞りＳＰおよび第５レンズ群Ｌ５は、変倍のためには不動である。広角端から望遠端への変倍のために、第２レンズ群Ｌ２は、像側へ移動し、第３レンズ群Ｌ３および第４レンズＬ４は、いずれも物体側に凸の軌跡で移動する。第２レンズ群Ｌ２は、サブレンズ群Ｌ２Ａおよびサブレンズ群Ｌ２Ｂから構成されている。サブレンズ群Ｌ２Ａとサブレンズ群Ｌ２Ｂとの間の間隔は、広角端で最も広く、広角端から望遠端への変倍のために減少する。広角端から望遠端への変倍のためサブレンズ群Ｌ２Ａの移動量およびサブレンズ群Ｌ２Ｂの移動量をそれぞれｍ２Ａおよびｍ２Ｂとする。すると、ｍ２Ａ＝２１１．２およびｍ２Ｂ＝２００．０となっている。よって、ｍ２Ａ／ｍ２Ｂ＝１．１となっている。また、第１レンズ群Ｌ１は、合焦のために移動するレンズ群を含みうる。
【００２６】
＜実施例７＞
図１３は、実施例７に係るズームレンズの広角端での断面図である。図１４は、実施例７に係るズームレンズの収差図である。図１４において、（Ａ）および（Ｂ）は、それぞれ広角端での収差図および望遠端での収差図である。
【００２７】
図１３において、第１レンズ群Ｌ１、開口絞りＳＰおよび第５レンズ群Ｌ５は、変倍のためには不動である。広角端から望遠端への変倍のために、第２レンズ群Ｌ２は、像側へ移動し、第３レンズ群Ｌ３および第４レンズＬ４は、いずれも物体側に凸の軌跡で移動する。第２レンズ群Ｌ２は、サブレンズ群Ｌ２Ａおよびサブレンズ群Ｌ２Ｂから構成されている。サブレンズ群Ｌ２Ａとサブレンズ群Ｌ２Ｂとの間の間隔は、広角端で最も狭く、広角端から望遠端への変倍のために増加する。広角端から望遠端への変倍のためのサブレンズ群Ｌ２Ａの移動量およびサブレンズ群Ｌ２Ｂの移動量をそれぞれｍ２Ａおよびｍ２Ｂとする。すると、ｍ２Ａ＝２００．０、ｍ２Ｂ＝２１１．２となっている。よって、ｍ２Ａ／ｍ２Ｂ＝０．９となっている。また、第１レンズ群Ｌ１は、合焦のために移動するレンズ群を含みうる。
【００２８】
ここで、各断面図において、左方は、物体側（前側）であり、右方は、像側（後側）である。ｉを物体側からのレンズ群の順番として、Ｌｉは、第ｉレンズ群を示す。ＳＰは、開口絞りを示す。Ｇは、プリズム、光学フィルターおよびその他のうちの少なくとも１つを含む光学ブロックを示す。ＩＰは、像面を示す。なお、各断面図は、ズームレンズの断面に加えて、撮像部（カメラ本体）の一部である光学ブロックＧおよび像面ＩＰの断面も図示している。また、像面ＩＰには、ＣＣＤまたはＣＭＯＳデバイスを含む撮像素子（光電変換素子）が配置されうる。本実施形態のズームレンズは、ビデオカメラやデジタルスチルカメラ、テレビカメラ、シネマカメラ、監視カメラ等の撮像装置の光学系として用いられうる。
【００２９】
実施例１ないし実施例７の各収差図の球面収差、歪曲および倍率色収差において、実線は、実施例３・４ではｄ線での値を示し、他の実施例ではｅ線での値を示す。また、二点鎖線は、ｇ線での値を示し、一点鎖線は、Ｃ線での値を示し、破線は、Ｆ線での値を示す。また、各収差図の非点収差においては、破線および実線は、それぞれメリディオナル像面での値およびサジタル像面での値を示す。Ｆｎｏは、Ｆナンバーを示し、ωは、半画角を示す。球面収差は、０．４００ｍｍまたは０．６００ｍｍのスケールで、非点収差は、０．４００ｍｍまたは０．６００ｍｍのスケールで、それぞれ表されている。また、歪曲は、１０．０００％または５．０００％のスケールで、倍率色収差は、０．１００ｍｍ、０．０５０ｍｍまたは０．０４０ｍｍのスケールで、それぞれ表されている。
【００３０】
各実施例のズームレンズは、正の屈折力を有する第１レンズ群と、変倍のために移動する負の屈折力を有する第２レンズ群とを含む、いわゆるポジティブリード型のズームレンズである。当該第２レンズ群は、広角端から望遠端への変倍のために像側へ移動するものである。そのようなポジティブリード型のズームレンズは、高変倍比の達成に有利なものである。
【００３１】
ここで、本実施形態に係るズームレンズの特徴としての各条件式を説明する。本実施形態に係るズームレンズは、広角、高変倍比、および全変倍範囲にわたる高い光学性能（特に倍率色収差の補正）の点で有利なものである。そのようなズームレンズは、レンズ群Ｌ２に含まれる負レンズＧ２ｎの材料の部分分散比およびアッベ数を特定して得られる。まず、負レンズＧ２ｎに採用する材料の部分分散比と倍率色収差との関係について説明する。図１５に示すように、現存する光学材料は、部分分散比θｇＦが、アッベ数νｄに対して狭い範囲に分布しており、アッベ数νｄが小さいほどθｇＦが大きくなる傾向を有している。特定の２波長に対する色収差の補正は、２波長色消し（１次スペクトル補正）とも称される。そして、高変倍比を有するズームレンズは、変倍に伴う色収差の変動を抑制するために、各レンズ群の軸上色収差および倍率色収差が概ねゼロとなるように補正される。さらに特定の１波長を加えてなる特定の３波長に対する色収差の補正は、２次スペクトル補正とも称される。変倍比を高くするほど、ズームレンズの高仕様化の要求に応えて、全変倍範囲で倍率色収差の２次スペクトルを低減することが難しくなる。
【００３２】
当該２次スペクトルを低減するための本実施形態に係るズームレンズの構成は、冒頭で既述したとおりである。特に、負レンズＧ２ｎのアッベ数および部分分散比をそれぞれνｄｎおよびθｇＦｎとして、以下の条件式を満足するものとしている。当該条件式は、
θｇＦｎ−（−１．６６５０×１０−７・νｄｎ３＋５．２１３０×１０−５・νｄｎ２−５．６５６０×１０−３・νｄｎ＋０．７３７０）＞０       ・・・（１）
０．５４５０＜θｇＦｎ                                    ・・・（２）
５０．０＜νｄｎ＜８５．０                                ・・・（３）
である。
【００３３】
条件式（１）および（２）は、負レンズＧ２ｎの材料の部分分散比θｇＦｎを規定している。条件式（１）および（２）を満たすことにより、全変倍範囲にわたる色収差の補正、低減または調整が可能となる。条件式（１）および（２）の値が下限値以下になると、当該色収差、特に広角端から望遠端への変倍においてオーバーからアンダーへ変動する倍率色収差の二次スペクトル（２波長色消し後に残存する短波長に係る色収差）の十分な低減が困難となる。条件式（３）は、負レンズＧ２ｎの材料のアッベ数νｄｎを規定している。条件式（３）の値が上限値以上となると、負レンズＧ２ｎの分散が低くなるため、広角端でのプラス方向の短波長に係る倍率色収差が残存し、好ましくない。また、負レンズＧ２ｎの分散が低くなるため、その屈折率が低くなる。そうなると、負レンズＧ２ｎにおける曲率半径が小さくなるため、高次の収差の補正が困難となる。また、条件式（３）の値が下限値以下となると、負レンズＧ２ｎの分散が高くなるため、広角端でのプラス方向の短波長に係る倍率色収差の補正が過剰となり、好ましくない。なお、より好ましくは、条件式（１）から（３）の数値範囲を次のように設定するのがよい。
θｇＦ−（−１．６６５×１０−７・νｄ３＋５．２１３×１０−５・νｄ２−５．６５６×１０−３・νｄ＋０．７３９８）＞０                   ・・・（１ａ）
０．５４９０＜θｇＦ                                       ・・・（２ａ）
５２．０＜νｄ＜８１．０                                   ・・・（３ａ）
【００３４】
また、さらに好ましくは、条件式（２ａ）および（３ａ）の数値範囲を次の如く設定するのがよい。
０．５５４３＜θｇＦ                  ・・・（２ｂ）
５４．０＜νｄ＜６７．０              ・・・（３ｂ）
【００３５】
各実施例において以上のような構成とすることにより、広画角、高変倍比、および全変倍範囲にわたる高い光学性能（特に倍率色収差の低減）の点で有利なズームレンズを提供することができる。
【００３６】
本実施形態に係るズームレンズの構成における更なる様態として、次の条件式のうち少なくとも１つを満足するのが好ましい。
θｇＦｐ−｛（０．５８２８−０．５４３６）／（３６．２６−６０．４９）＊（νｄｐ−６０．４９）＋０．５４３６｝＞０                 ・・・（４）
１＜ｆｎ／ｆ２≦１０                               ・・・（５）
１＜ｆｐ／ｆ１≦１０                               ・・・（６）
１．４８０＜ｎｄｎ＜１．７５０                     ・・・（７）
【００３７】
ここで、第１レンズ群に含まれる正レンズＧ１ｐのアッベ数および部分分散比をそれぞれνｄｐおよびθｇＦｐとする。また、第２レンズ群の焦点距離をｆ２とし、負レンズＧ２ｎの焦点距離をｆｎとする。また、第１レンズ群の焦点距離をｆ１とし、正レンズＧ１ｐの焦点距離をｆｐとする。また、負レンズＧ２ｎの屈折率をｎｄｎとする。
【００３８】
条件式（４）は、正レンズＧ１ｐの材料の部分分散比θｇＦｐを規定している。条件式（４）を満足することにより、全変倍範囲での軸上色収差のバランスのよい補正が可能となる。条件式（４）の値が下限値以下となると、望遠側でオーバーに変動する軸上色収差の二次スペクトル（２波長色消し後に残存する短波長に係る色収差）を十分に低減できないため、好ましくない。
【００３９】
条件式（５）は。第２レンズ群の焦点距離ｆ２と負レンズＧ２ｎの焦点距離ｆｎとの比を規定している。条件式（５）を満足することにより、全変倍範囲での倍率色収差のバランスのよい補正が可能となり、また、全変倍範囲での像面湾曲等の軸外収差の補正が可能となる。条件式（５）の値が下限値以下となると、負レンズＧ２ｎの屈折力が過大となり、軸外収差が過大となる。また、条件式（５）の値が上限値以上となると、負レンズＧ２ｎの屈折力が過小となり、倍率色収差の補正の効果が不足する。
【００４０】
条件式（６）は、第１レンズ群の焦点距離ｆ１と正レンズＧ１ｐの焦点距離ｆｐとの比を規定している。条件式（６）を満足することにより、全変倍範囲での軸上色収差のバランスのよい補正すが可能となり、また、全変倍範囲での球面収差等の軸上収差の補正が可能とする。条件式（６）の値が下限値以下となると、正レンズＧ１ｐの屈折力が過大となり、軸上収差が過大となる。また、条件式（６）の値が上限値以上となると、正レンズＧ１ｐの屈折力が過小となり、軸上色収差の補正の効果が不足する。
【００４１】
条件式（７）は、負レンズＧ２ｎの屈折率を規定している。条件式（７）の値が下限値以下となると、負レンズＧ２ｎの曲率が過大となり、高次の収差が発生する。また、条件式（７）の値が上限値以上となると、Ｇ２ｎの分散が過大となり、色収差が過大となる。
【００４２】
なお、さらに好ましくは、条件式（５）ないし（７）の数値範囲を次のように設定するのがよい。
１＜ｆｎ／ｆ２≦７                    ・・・（５ａ）
１＜ｆｐ／ｆ１≦７                    ・・・（６ａ）
１．５５０＜ｎｄｎ＜１．７５０        ・・・（７ａ）
【００４３】
また、第２レンズ群は、実施例６および実施例７におけるように、２つのサブレンズ群（第２Ａレンズ群および第２Ｂレンズ群）に分かれていてもよい。その場合、ｆ２は、広角端での２つのサブレンズ群の合成焦点距離とする。また、そのように２つのサブレンズ群に分かれている場合、広角端から望遠端への変倍のための第２Ａレンズ群（サブレンズ群Ｌ２Ａ）の移動量および第２Ｂレンズ群（サブレンズ群Ｌ２Ｂ）の移動量をそれぞれｍ２Ａおよびｍ２Ｂとする。すると、次の条件式（８）を満足するのが好ましい。
０．７＜ｍ２Ａ／ｍ２Ｂ＜１．３        ・・・（８）
【００４４】
条件式（８）を満足しないと、十分な変倍比を得ることができなくなり、または、光学性能（特に色収差の補正）が十分ではなくなる。
【００４５】
以上の条件式のうち少なくとも条件式（１）ないし（３）を満足するように構成することにより、広画角、高変倍比、および全変倍範囲にわたる高い光学性能（特に、倍率色収差の補正）の点で有利なズームレンズを得ることができる。
【００４６】
〔撮像装置に係る実施形態〕
ここで、図１６を参照して、以上に説明したズームレンズを含む撮像装置（例えばＴＶカメラ）に係る実施形態を説明する。図１６は、実施形態に係る撮像装置の構成例を示す図である。図１６において、１０１は実施例１ないし実施例７のうちいずれかのズームレンズである。１２４は、カメラ本体（撮像部）である。ズームレンズ１０１は、カメラ本体１２４に対して着脱（交換）可能となっている。１２５は、カメラ本体１２４にズームレンズ１０１を装着して構成される撮像装置である。ズームレンズ１０１は、第１レンズ部Ｆと、第２レンズ部ＬＺと、および第３レンズ部Ｒとを有している。第１レンズ群Ｆは、合焦のために移動するレンズ群を含んでいる。第２レンズ部ＬＺは、変倍のために移動する少なくとも２つのレンズ群を含んでいる。第２レンズ部ＬＺより像側には、開口絞りＳＰと、第３レンズ部Ｒとが配置されている。第３レンズ部は、結像のためのレンズ群を含み、例えば、３つのレンズ群Ｒ１ないしＲ３を含みうる。また、光路に対して挿抜可能なレンズ群ＩＥを含みうる。レンズ群ＩＥは、レンズ群Ｒ１とレンズ群Ｒ３との間に挿入されることにより、ズームレンズ１０１の焦点距離範囲を変更する。
【００４７】
１１４および１１５は、それぞれ第１レンズ部Ｆおよび第２レンズ群ＬＺを光軸方向に移動する駆動機構である。当該駆動機構は、ヘリコイドまたはカムを含んで構成されうる。１１６ないし１１８は、それぞれ駆動機構１１４および１１５ならびに開口絞りＳＰを動かすための動力を発生するモータ（アクチュエータ）である。１１９ないし１２１は、それぞれ第１レンズ部Ｆおよび第２レンズ部ＬＺの光軸上の位置ならびに開口絞りＳＰの絞り径を検出するための検出部である。当該検出部は、エンコーダ、ポテンショメータ、またはフォトセンサ等を含みうる。カメラ本体１２４において、１０９は、光学フィルターおよび色分解光学系の少なくとも一方を含むガラスブロックである。１１０は、ズームレンズ１０１の像面に配置された撮像素子（光電変換素子）であって、ＣＣＤまたはＣＭＯＳデバイスを含みうる。また、１１１は、カメラ本体１２４の各部を制御する制御部である。１２２は、ズームレンズ１０１の各部を制御する制御部である。各制御部は、ＣＰＵ等の処理部により構成されうる。本実施形態により、広画角、高変倍比、および全変倍範囲にわたる高い光学性能の点で有利な撮像装置を得ることができる。
【００４８】
〔数値実施例〕
ここで、実施例１ないし７にそれぞれ対応する数値実施例１ないし７を示す。各数値実施例において、ｉは、物体側からの各面に付した番号（序数）を示す。ｒｉは、第ｉ番のレンズ面の曲率半径を示し、ｄｉは、第ｉ番の面間隔（レンズ厚または空気間隔）を示し、ｎｄｉ、νｄｉおよびθｇＦは、それぞれ第ｉ番目のレンズの材料（空気を含む）の屈折率、アッベ数および部分分散比を示す。また、各面の有効径と、各レンズの焦点距離とを示している。非球面データにおける非球面形状は、次式で表される。ここで、光軸をＸ軸とし、光軸とは直交する軸をＨ軸とし、光の進行方向をＸ軸の正の方向とし、Ｒを近軸曲率半径とし、ｋを円錐定数とし、Ａ４、Ａ６、Ａ８、Ａ１０、Ａ１２、Ａ１４およびＡ１６のそれぞれを非球面係数とする。
【００４９】
【数１】
2020012871.tif 000003
【００５０】
各非球面係数において、［ｅ−Ｘ］は、［×１０−Ｘ］を意味している。
【００５１】
また、各種データとして、以下のものを示す。ななわち、ズーム比（変倍比）や焦点距離、Ｆナンバー、画角（度）、像高を示している。ここで、画角は、最大像高に対応する値を、像高は、最大像高を、それぞれ示している。ＢＦは、バックフォーカスであり、ここでは、最終レンズ面から像面までの空気換算での距離を示している。レンズ全長は、第１レンズ面から最終レンズ面までの距離にバックフォーカスを加えた値を示している。また、面データにおける間隔ｄのうち（可変）となっているものは、間隔ｄが変倍のために変化することを示し、焦点距離に応じた値を別表に示している。また、入射瞳位置、射出瞳位置、前側主点位置および後側主点位置は、焦点距離に応じた値を別表に示している。また、レンズ群データは、各レンズ群の始面、焦点距離、レンズ構成長、前側主演位置および後側主点位置を示している。また、単レンズデータは、各レンズの始面および焦点距離を示している。尚、以下に記載する数値実施例１ないし７のそれぞれについての条件式（１）ないし（７）の値を表１に示している。なお、表１の第３行に記載されているＧ〇またはＧ○○は、各実施例における負レンズＧ２ｎまたは正レンズＧ１ｐに相当するレンズを示し、〇または○○は、当該レンズが物体側から数えて何番目のものかを表している。
【００５２】
（数値実施例１）
単位 mm
面データ
面番号      r         d        nd        vd       θgF     有効径   焦点距離
1        0.00000   1.00000  1.000000    0.00    0.0000    108.061      0.000
2        0.00000   4.00000  1.000000    0.00    0.0000    106.368      0.000
3        0.00000   1.00000  1.000000    0.00    0.0000     99.593      0.000
4    10758.51251   3.20000  1.772499   49.60    0.5520     97.712    -88.255
5       68.06228  22.34903  1.000000    0.00    0.0000     83.900      0.000
6     -140.90438   2.70000  1.772499   49.60    0.5520     83.483   -114.262
7      241.34898   0.18797  1.000000    0.00    0.0000     85.072      0.000
8      136.46375   7.87965  1.922860   20.88    0.6282     86.921    176.545
9      772.42821   1.99417  1.000000    0.00    0.0000     86.777      0.000
10      546.94118  12.33551  1.603001   65.44    0.5401     86.690    166.621
11     -122.58143   0.19491  1.000000    0.00    0.0000     86.442      0.000
12      361.56615  15.31416  1.496999   81.54    0.5375     80.906    131.603
13      -79.00817   2.50000  1.800000   29.84    0.6017     80.579   -190.547
14     -164.94221   6.87859  1.000000    0.00    0.0000     81.168      0.000
15      126.52053   2.50000  1.738000   32.26    0.5899     77.579   -140.313
16       56.69180  19.32379  1.496999   81.54    0.5375     74.619     93.905
17     -238.02119   0.20000  1.000000    0.00    0.0000     74.473      0.000
18       72.55949  11.37865  1.537150   74.81    0.5390     71.304    132.002
19    -3413.54261   0.20000  1.000000    0.00    0.0000     70.306      0.000
20      130.57361   4.44798  1.790000   45.50    0.5720     66.140    323.140
21      261.83588    (可変)  1.000000    0.00    0.0000     64.551      0.000
22       66.19805   1.20000  1.882997   40.76    0.5667     30.558    -28.501
23       18.15516   6.06343  1.000000    0.00    0.0000     25.206      0.000
24     -102.09549   4.11393  1.846660   23.78    0.6034     25.059     36.759
25      -24.47879   0.70000  1.772499   49.60    0.5520     24.678    -42.787
26      -94.25683   2.31711  1.000000    0.00    0.0000     23.639      0.000
27      -25.78435   0.70000  1.594100   60.47    0.5551     23.437    -34.637
28      104.98040   0.16000  1.000000    0.00    0.0000     24.262      0.000
29       46.62247   3.54310  1.654115   39.68    0.5737     25.219     56.369
30     -175.98688    (可変)  1.000000    0.00    0.0000     25.495      0.000
31      -30.31934   0.90000  1.651597   58.55    0.5425     25.930    -30.644
32       59.88234   2.96175  1.808095   22.76    0.6307     28.781     77.769
33     1029.54382    (可変)  1.000000    0.00    0.0000     29.321      0.000
34        0.00000   1.29372  1.000000    0.00    0.0000     34.814      0.000
35     1114.32641   4.53870  1.754999   52.32    0.5475     35.992     71.497
36      -56.89938   0.20000  1.000000    0.00    0.0000     36.577      0.000
37       55.90798   6.15553  1.618000   63.33    0.5441     38.155     64.942
38     -138.09229   0.20000  1.000000    0.00    0.0000     37.957      0.000
39       60.45248   7.94498  1.496999   81.54    0.5375     36.246     69.491
40      -77.56988   1.20000  2.001000   29.13    0.5997     34.731    -60.004
41      278.13949   0.19930  1.000000    0.00    0.0000     33.912      0.000
42       52.51614   7.66308  1.516330   64.14    0.5353     33.144     49.418
43      -47.50070   1.10000  1.772499   49.60    0.5520     32.193    -45.432
44      138.28408  19.17015  1.000000    0.00    0.0000     30.974      0.000
45       46.04265   5.00057  1.487490   70.23    0.5300     25.390     48.526
46      -47.24754   0.19982  1.000000    0.00    0.0000     24.808      0.000
47       32.24250   5.34509  1.487490   70.23    0.5300     23.092     36.794
48      -38.51927   1.00000  2.000690   25.46    0.6133     22.251    -14.932
49       25.10644   1.82204  1.000000    0.00    0.0000     21.167      0.000
50       56.79665   7.50013  1.808095   22.76    0.6307     21.441     16.598
51      -16.74077   1.00000  1.882997   40.76    0.5667     21.714    -15.623
52       83.33991   8.49137  1.000000    0.00    0.0000     22.681      0.000
53       34.03846   4.90203  1.487490   70.23    0.5300     29.209     66.989
54     -836.17406  37.88000  1.000000    0.00    0.0000     29.274      0.000
像面        ∞
非球面データ
第11面
K = 7.86276e-001  A 4= 1.60118e-007  A 6= 1.17537e-011  A 8=-5.48128e-014
A10= 9.04222e-017  A12=-7.87797e-020  A14= 3.40535e-023  A16=-5.78414e-027
第22面
K = 6.30690e+000  A 4= 8.31658e-007  A 6=-1.38660e-008  A 8= 6.05695e-011
A10=-3.27704e-013  A12= 6.65924e-016  A14= 7.65638e-019  A16=-3.82304e-021
各種データ
ズーム比      8.00
焦点距離      20.00    40.00    70.00   110.00   160.00    28.00   136.00
Fナンバー      2.80     2.79     2.79     2.80     3.56     2.79     3.07
画角          37.87    21.24    12.52     8.05     5.55    29.05     6.52
像高          15.55    15.55    15.55    15.55    15.55    15.55    15.55
レンズ全長   316.05   316.05   316.05   316.05   316.05   316.05   316.05
BF            37.88    37.88    37.88    37.88    37.88    37.88    37.88
d21            0.68    21.30    33.04    39.96    44.08    11.68    42.47
d30           40.92    18.13     7.26     4.22     6.03    28.61     4.77
d33            9.40    11.56    10.71     6.81     0.89    10.71     3.76
入射瞳位置    66.59    94.80   128.00   163.53   197.28    78.78   182.57
射出瞳位置   -75.90   -75.90   -75.90   -75.90   -75.90   -75.90   -75.90
前側主点位置  83.08   120.74   154.93   167.18   132.28    99.89   156.01
後側主点位置  17.88    -2.12   -32.12   -72.12  -122.12     9.88   -98.12
ズームレンズ群データ
群  始面    焦点距離  レンズ構成長  前側主点位置  後側主点位置
1    1      52.01       119.58        67.14         19.82
2   22     -22.52        18.80         2.04        -12.07
3   31     -50.85         3.86         0.01         -2.16
4   34      33.83        84.93         6.01        -68.58
単レンズデータ
レンズ  始面  焦点距離
1       1    -88.26
2       6   -114.26
3       8    176.54
4      10    166.62
5      12    131.60
6      13   -190.55
7      15   -140.31
8      16     93.90
9      18    132.00
10      20    323.14
11      22    -28.50
12      24     36.76
13      25    -42.79
14      27    -34.64
15      29     56.37
16      31    -30.64
17      32     77.77
18      35     71.50
19      37     64.94
20      39     69.49
21      40    -60.00
22      42     49.42
23      43    -45.43
24      45     48.53
25      47     36.79
26      48    -14.93
27      50     16.60
28      51    -15.62
29      53     66.99
【００５３】
（数値実施例２）
単位 mm
面データ
面番号      r         d        nd        vd       θgF     有効径   焦点距離
1     1174.24460   4.70000  1.772499   49.60    0.5520    185.816   -244.784
2      163.25478  36.34541  1.000000    0.00    0.0000    164.495      0.000
3     -379.55481   4.50000  1.772499   49.60    0.5520    160.409   -280.711
4      514.20943   0.15000  1.000000    0.00    0.0000    156.817      0.000
5      334.69028   9.27710  1.717362   29.51    0.5985    156.491    684.148
6     1022.66823   8.32374  1.000000    0.00    0.0000    155.732      0.000
7    -8537.73408  14.00000  1.537750   74.70    0.5392    154.074    510.942
8     -267.17020   0.20000  1.000000    0.00    0.0000    153.433      0.000
9     1900.94378   4.40000  1.805177   25.43    0.6100    144.317   -384.041
10      267.79958  15.00000  1.496999   81.54    0.5375    139.261    396.268
11     -738.65222  45.59466  1.000000    0.00    0.0000    138.276      0.000
12      480.81338  17.07760  1.496999   81.54    0.5375    140.265    359.771
13     -282.62072   0.15000  1.000000    0.00    0.0000    140.736      0.000
14      419.11315  12.43394  1.496999   81.54    0.5375    140.407    528.821
15     -703.35386   0.15000  1.000000    0.00    0.0000    140.023      0.000
16      330.91819   8.63668  1.603112   60.64    0.5415    136.842    693.411
17     1546.90558    (可変)  1.000000    0.00    0.0000    135.821      0.000
18      557.31952   1.50000  1.772499   49.60    0.5520     64.468   -136.111
19       88.70974   5.64201  1.000000    0.00    0.0000     59.727      0.000
20      334.61553   1.50000  1.729157   54.68    0.5444     58.012    -49.356
21       32.55947  10.45708  1.846660   23.78    0.6205     50.460     57.856
22       81.15215   6.11000  1.000000    0.00    0.0000     48.858      0.000
23     -222.28632   1.50000  1.610000   66.61    0.5897     48.035    -78.625
24       61.59801    (可変)  1.000000    0.00    0.0000     45.379      0.000
25      443.71960   6.25242  1.620411   60.29    0.5427     46.822    303.732
26     -328.01205   0.15000  1.000000    0.00    0.0000     48.173      0.000
27      119.68309  11.10590  1.487490   70.23    0.5300     49.520    108.297
28      -92.14182   0.09304  1.000000    0.00    0.0000     50.038      0.000
29     -103.96050   1.60000  1.805181   25.42    0.6161     49.975   -184.895
30     -339.75575    (可変)  1.000000    0.00    0.0000     50.543      0.000
31       86.98783   1.60000  1.805181   25.42    0.6161     51.456   -140.984
32       49.03804   9.30397  1.487490   70.23    0.5300     50.555     93.860
33     -675.22246   0.15000  1.000000    0.00    0.0000     50.599      0.000
34       62.28275   7.65369  1.620411   60.29    0.5427     50.592     90.371
35     -557.28865    (可変)  1.000000    0.00    0.0000     50.005      0.000
36        0.00000   2.98000  1.000000    0.00    0.0000     28.462      0.000
37     -150.14743   1.40000  1.788001   47.37    0.5559     27.027    -21.654
38       19.44047   7.30654  1.854780   24.80    0.6122     25.397     19.490
39     -102.96711   1.40000  1.788001   47.37    0.5559     24.859    -40.194
40       46.35311   5.93408  1.000000    0.00    0.0000     23.692      0.000
41      -40.84409  19.74135  1.772499   49.60    0.5520     23.284    -36.872
42      115.83532   8.40424  1.000000    0.00    0.0000     27.167      0.000
43      -66.47523   1.50000  1.537750   74.70    0.5392     30.194    -96.329
44      239.97487   7.05543  1.639999   60.08    0.5370     32.075     56.247
45      -42.05921   3.00000  1.000000    0.00    0.0000     33.464      0.000
46      667.94563   1.50000  2.001000   29.13    0.5997     34.838    -46.125
47       43.46460   7.60055  1.516330   64.14    0.5353     35.214     59.269
48      -98.47490   0.19999  1.000000    0.00    0.0000     36.122      0.000
49       86.11932   7.00000  1.496999   81.54    0.5375     37.839     75.285
50      -64.70749   0.19995  1.000000    0.00    0.0000     38.096      0.000
51       46.94628   9.84683  1.438750   94.93    0.5340     37.282     54.339
52      -45.57013   1.48557  1.000000    0.00    0.0000     36.549      0.000
53      -40.89430   1.50000  2.000690   25.46    0.6133     35.069    -47.423
54     -284.91124   5.00001  1.858956   22.73    0.6284     35.357     62.653
55      -46.03109   7.99999  1.000000    0.00    0.0000     35.464      0.000
56        0.00000  33.00000  1.608590   46.44    0.5664     50.000      0.000
57        0.00000  13.20000  1.516330   64.15    0.5352     50.000      0.000
58        0.00000  10.00000  1.000000    0.00    0.0000     50.000      0.000
像面        ∞
非球面データ
第18面
K = 0.00000e+000  A 4= 3.27961e-007  A 6= 2.89984e-011  A 8=-5.87870e-014
A10=-3.36310e-017  A12= 9.07081e-021
第34面
K = 0.00000e+000  A 4=-1.10732e-007  A 6=-5.88708e-010  A 8= 1.12132e-012
A10=-7.82377e-016  A12= 9.64886e-020
各種データ
ズーム比     30.00
焦点距離       6.50    15.00    35.00    87.00   195.00
Fナンバー      1.49     1.48     1.50     1.50     2.20
画角          40.24    20.14     8.93     3.62     1.62
像高           5.50     5.50     5.50     5.50     5.50
レンズ全長   625.00   625.00   625.00   625.00   625.00
BF            10.00    10.00    10.00    10.00    10.00
d17            3.00    47.26   104.52   160.79   214.18
d24          201.78   102.64    44.02    25.13     6.00
d30           16.41    61.14    45.43     1.00     1.00
d35            1.00    11.15    28.22    35.27     1.00
入射瞳位置   116.36   153.69   245.01   489.14   1303.51
射出瞳位置    75.28    75.28    75.28    75.28    75.28
前側主点位置 123.51   172.14   298.78   692.09   2081.02
後側主点位置   3.50    -5.00   -25.00   -77.00  -185.00
ズームレンズ群データ
群  始面    焦点距離  レンズ構成長  前側主点位置  後側主点位置
1    1     178.19       180.94       151.79         93.60
2   18     -37.54        26.71        13.49         -5.25
3   25     138.09        19.20         3.32         -9.16
4   31      70.12        18.71         6.00         -6.22
5   36      26.95       147.25        44.27          6.37
単レンズデータ
レンズ  始面  焦点距離
1       1   -244.78
2       3   -280.71
3       5    684.15
4       7    510.94
5       9   -384.04
6      10    396.27
7      12    359.77
8      14    528.82
9      16    693.41
10      18   -136.11
11      20    -49.36
12      21     57.86
13      23    -78.62
14      25    303.73
15      27    108.30
16      29   -184.89
17      31   -140.98
18      32     93.86
19      34     90.37
20      37    -21.65
21      38     19.49
22      39    -40.19
23      41    -36.87
24      43    -96.33
25      44     56.25
26      46    -46.13
27      47     59.27
28      49     75.28
29      51     54.34
30      53    -47.42
31      54     62.65
32      56      0.00
33      57      0.00
【００５４】
（数値実施例３）
単位 mm
面データ
面番号      r         d        nd        vd       θgF     有効径   焦点距離
1       55.40592   1.34987  1.846660   23.93    0.6199     31.169    -96.622
2       32.79119   6.04521  1.516330   64.14    0.5353     29.528     51.673
3     -136.87576   0.19998  1.000000    0.00    0.0000     28.869      0.000
4       29.88645   3.19009  1.618000   63.33    0.5441     26.572     73.558
5       83.08123    (可変)  1.000000    0.00    0.0000     25.858      0.000
6      162.99906   0.79992  1.834807   42.71    0.5642     14.458    -12.758
7       10.02730   2.99982  1.000000    0.00    0.0000     11.663      0.000
8      -41.60379   0.69993  1.650000   54.96    0.5784     10.993    -12.438
9       10.15563   1.57224  1.000000    0.00    0.0000     10.086      0.000
10      -53.31024   0.59994  1.834807   42.71    0.5642     10.085    -77.860
11     -290.65252   0.14057  1.000000    0.00    0.0000     10.198      0.000
12       15.22444   1.83428  1.922860   18.90    0.6495     10.457     21.321
13       60.82803    (可変)  1.000000    0.00    0.0000     10.196      0.000
14        0.00000    (可変)  1.000000    0.00    0.0000      8.533      0.000
15        9.78173   2.98360  1.639999   60.08    0.5370     10.207     14.277
16     -129.86607   3.82124  1.000000    0.00    0.0000      9.769      0.000
17       68.91802   0.69993  1.805181   25.42    0.6161      8.199    -12.396
18        8.74887   0.46265  1.000000    0.00    0.0000      7.963      0.000
19       15.01379   2.13283  1.583126   59.38    0.5423      7.979     21.532
20      -74.49098    (可変)  1.000000    0.00    0.0000      8.238      0.000
21       15.79358   2.63051  1.696797   55.53    0.5434      9.418     14.083
22      -24.41512   0.69993  1.846660   23.93    0.6199      9.218    -57.680
23      -48.99322    (可変)  1.000000    0.00    0.0000      9.133      0.000
24        0.00000   2.95000  1.516330   64.14    0.5353     20.000      0.000
25        0.00000   0.01000  1.000000    0.00    0.0000     20.000      0.000
像面        ∞
非球面データ
第15面
K =-1.24240e+000  A 4= 6.61643e-005  A 6=-2.82349e-008  A 8= 1.79831e-009
第19面
K =-4.16889e-001  A 4=-5.53903e-005
各種データ
ズーム比      8.00
広角     中間     望遠
焦点距離       4.81    13.27    38.46
Fナンバー      1.85     2.42     2.88
画角          32.21    12.85     4.50
像高           3.03     3.03     3.03
レンズ全長    77.51    80.26    82.51
BF             0.01     0.01     0.01
d 5            1.25    14.73    25.76
d13           22.42    11.69     2.91
d14            6.22     1.93     2.66
d20            4.81     5.75     4.38
d23            6.98    10.33    10.96
入射瞳位置    20.44    61.01   161.86
射出瞳位置   831.50   -93.58   -77.93
前側主点位置  25.27    72.40   181.35
後側主点位置  -4.79   -13.26   -38.45
ズームレンズ群データ
群  始面    焦点距離  レンズ構成長  前側主点位置  後側主点位置
1    1      45.08        10.79         2.84         -4.11
2    6      -8.01         8.65         1.05         -5.94
3   14       ∞           0.00         0.00         -0.00
4   15      20.22        10.10        -3.06         -9.86
5   21      18.43         3.33         0.44         -1.53
6   24       ∞           2.95         0.97         -0.97
単レンズデータ
レンズ  始面  焦点距離
1       1    -97.56
2       2     51.86
3       4     73.84
4       6    -12.83
5       8    -12.49
6      10    -78.29
7      12     21.59
8      15     14.33
9      17    -12.51
10      19     21.62
11      21     14.14
12      22    -58.24
13      24      0.00
【００５５】
（数値実施例４）
単位 mm
面番号      r         d        nd        vd       θgF     有効径   焦点距離
1       72.88193   1.30000  1.854780   24.80    0.6122     39.975   -121.898
2       42.69623   5.79017  1.496999   81.54    0.5375     39.125     84.560
3    -3140.97139   0.15000  1.000000    0.00    0.0000     39.044      0.000
4       39.35545   4.15351  1.595220   67.74    0.5442     38.374    100.658
5      109.43448   0.10000  1.000000    0.00    0.0000     37.978      0.000
6       32.80132   4.01941  1.537750   74.70    0.5392     35.860    104.876
7       74.70200    (可変)  1.000000    0.00    0.0000     35.224      0.000
8       70.45996   0.56295  1.953750   32.32    0.5898     15.943    -14.489
9       11.57809   1.72152  1.000000    0.00    0.0000     13.135      0.000
10       46.41978   0.46913  1.851500   40.78    0.5695     12.969    -10.989
11        7.78846   3.28670  1.000000    0.00    0.0000     11.185      0.000
12      -29.62259   0.46913  1.550000   56.79    0.5581     11.275    -21.911
13       20.57589   0.09453  1.000000    0.00    0.0000     11.821      0.000
14       13.88006   2.09306  1.959060   17.47    0.6598     12.453     16.998
15       80.41027    (可変)  1.000000    0.00    0.0000     12.349      0.000
16        0.00000    (可変)  1.000000    0.00    0.0000     12.575      0.000
17       11.54415   3.30937  1.764500   49.09    0.5528     14.704     18.016
18       60.92868   3.98331  1.000000    0.00    0.0000     14.175      0.000
19       13.42676   0.45000  2.003300   28.27    0.5980     11.526    -12.887
20        6.50313   3.84745  1.437000   95.10    0.5326     10.287     19.880
21       21.04371   0.32937  1.000000    0.00    0.0000     10.074      0.000
22        9.25697   3.75830  1.496999   81.54    0.5375     10.408     11.960
23      -14.48328    (可変)  1.000000    0.00    0.0000     10.307      0.000
24      -52.41870   0.40000  1.953750   32.32    0.5898      6.278     -5.353
25        5.72359    (可変)  1.000000    0.00    0.0000      5.911      0.000
26       11.95113   2.62698  1.846660   23.93    0.6199      8.776      8.290
27      -15.65283    (可変)  1.000000    0.00    0.0000      8.666      0.000
28        0.00000   2.00000  1.516330   64.14    0.5353     20.000      0.000
29        0.00000   0.00000  1.000000    0.00    0.0000     20.000      0.000
像面        ∞
非球面データ
第17面
K =-5.35377e+000  A 4= 3.88465e-004  A 6=-5.04300e-006  A 8= 5.26066e-008
A10=-2.53197e-010
第22面
K = 6.95291e-001  A 4=-3.86538e-004  A 6=-1.51974e-005  A 8= 7.82599e-007
A10=-1.74928e-008
第23面
K =-1.76974e+001  A 4=-7.51614e-004  A 6= 9.71150e-006  A 8= 2.31815e-007
A10=-1.08444e-008
各種データ
ズーム比     44.00
焦点距離       4.43    46.67   195.00    13.33    82.63
Fナンバー      1.65     3.00     4.90     2.00     4.00
画角          35.83     3.92     0.94    13.50     2.22
像高           3.20     3.20     3.20     3.20     3.20
レンズ全長    89.01    89.01    89.01    89.01    89.01
BF             0.00     0.00     0.00     0.00     0.00
d 7            0.60    24.65    29.93    15.26    27.00
d15           30.12     6.08     0.80    15.46     3.73
d16            5.69     1.53     0.60     3.61     0.49
d23            4.80     8.39     1.90     6.76     7.56
d25            1.98     2.54     9.97     2.09     4.41
d27            0.90     0.90     0.90     0.90     0.90
入射瞳位置    23.44   203.14   482.12    77.87   282.79
射出瞳位置  -280.45  -241.54    15.39  -145.10    53.24
前側主点位置  27.80   240.79   3147.70    89.98   493.68
後側主点位置  -4.43   -46.67  -195.00   -13.33   -82.63
ズームレンズ群データ
群  始面    焦点距離  レンズ構成長  前側主点位置  後側主点位置
1    1      44.68        15.51         3.50         -6.51
2    8      -6.69         8.70         1.03         -6.08
3   16       ∞           0.00         0.00         -0.00
4   17      13.14        15.68         7.96         -8.87
5   24      -5.39         0.40         0.18         -0.02
6   26       8.37         2.63         0.64         -0.84
7   28       ∞           2.00         0.66         -0.66
単レンズデータ
レンズ  始面  焦点距離
1       1   -123.04
2       2     84.81
3       4    101.02
4       6    105.22
5       8    -14.59
6      10    -11.05
7      12    -22.00
8      14     17.23
9      17     18.10
10      19    -12.99
11      20     19.93
12      22     11.99
13      24     -5.39
14      26      8.37
15      28      0.00
【００５６】
（数値実施例５）
単位 mm
面データ
面番号      r         d        nd        vd       θgF     有効径   焦点距離
1        0.00000   1.00000  1.000000    0.00    0.0000    107.981      0.000
2        0.00000   4.00000  1.000000    0.00    0.0000    106.295      0.000
3        0.00000   1.00000  1.000000    0.00    0.0000     99.554      0.000
4     3301.38021   3.20000  1.772499   49.60    0.5520     97.265    -86.724
5       65.94298  22.90783  1.000000    0.00    0.0000     83.220      0.000
6     -133.92432   2.70000  1.772499   49.60    0.5520     82.835   -124.568
7      350.84805   0.19130  1.000000    0.00    0.0000     84.581      0.000
8      137.82316   7.11488  1.922860   20.88    0.6282     86.749    201.971
9      499.95189   1.99581  1.000000    0.00    0.0000     86.564      0.000
10      394.92486  14.22596  1.603001   65.44    0.5401     86.519    139.877
11     -106.28694   0.19429  1.000000    0.00    0.0000     86.232      0.000
12      169.41603  14.44110  1.438750   94.66    0.5340     77.904    143.782
13      -98.28783   2.50000  1.800000   29.84    0.6017     77.292   -158.581
14     -429.69134   6.83608  1.000000    0.00    0.0000     76.756      0.000
15      133.80658   2.50000  1.738000   32.26    0.5899     76.179   -155.338
16       61.49109  17.20417  1.438750   94.66    0.5340     73.905    115.791
17     -271.23437   0.20000  1.000000    0.00    0.0000     73.928      0.000
18       93.79430  11.34539  1.537150   74.81    0.5390     72.844    134.595
19     -306.33493   0.20000  1.000000    0.00    0.0000     72.181      0.000
20       80.00000   6.24893  1.790000   45.50    0.5720     65.449    174.871
21      182.19059    (可変)  1.000000    0.00    0.0000     63.802      0.000
22      113.13368   1.20000  1.882997   40.76    0.5667     30.984    -27.568
23       20.02798   3.97446  1.000000    0.00    0.0000     25.858      0.000
24       88.32738   4.75661  1.846660   23.78    0.6034     25.738     29.814
25      -34.94623   0.70000  1.772499   49.60    0.5520     25.017    -24.044
26       40.40381   5.34167  1.000000    0.00    0.0000     22.495      0.000
27      -19.56895   0.70000  1.481157   80.19    0.5451     22.495    -99.765
28      -33.35485   0.16000  1.000000    0.00    0.0000     23.783      0.000
29       47.14355   2.57190  1.654115   39.68    0.5737     26.133    101.438
30      157.03132    (可変)  1.000000    0.00    0.0000     26.240      0.000
31      -29.79038   0.90000  1.651597   58.55    0.5425     26.695    -30.704
32       62.41469   2.98568  1.808095   22.76    0.6307     29.843     78.438
33     2407.63316    (可変)  1.000000    0.00    0.0000     30.374      0.000
34        0.00000   1.28971  1.000000    0.00    0.0000     35.998      0.000
35     1842.31787   4.70279  1.754999   52.32    0.5475     37.171     70.615
36      -55.10006   0.20000  1.000000    0.00    0.0000     37.740      0.000
37       55.00293   6.49678  1.618000   63.33    0.5441     39.458     64.766
38     -142.30410   0.20000  1.000000    0.00    0.0000     39.237      0.000
39       57.71997   8.31308  1.496999   81.54    0.5375     37.246     68.621
40      -79.93435   1.20000  2.001000   29.13    0.5997     35.600    -58.318
41      224.78483   0.19955  1.000000    0.00    0.0000     34.639      0.000
42       49.40250   8.03398  1.516330   64.14    0.5353     33.777     48.411
43      -48.14822   1.10000  1.772499   49.60    0.5520     32.745    -43.764
44      116.50951  18.49468  1.000000    0.00    0.0000     31.335      0.000
45       42.05126   5.24588  1.487490   70.23    0.5300     25.739     46.734
46      -48.03668   0.19969  1.000000    0.00    0.0000     25.113      0.000
47       31.33921   5.16008  1.487490   70.23    0.5300     22.475     36.189
48      -38.47777   1.00000  2.000690   25.46    0.6133     21.641    -14.447
49       23.81024   1.59323  1.000000    0.00    0.0000     20.522      0.000
50       45.78379   7.27774  1.808095   22.76    0.6307     20.775     15.968
51      -16.92438   1.00000  1.882997   40.76    0.5667     20.953    -14.696
52       58.63013   7.90554  1.000000    0.00    0.0000     21.674      0.000
53       32.95285   4.62576  1.487490   70.23    0.5300     27.834     65.861
54    -1373.94491  37.84000  1.000000    0.00    0.0000     27.927      0.000
像面        ∞
非球面データ
第11面
K = 3.59941e+000  A 4= 4.82467e-007  A 6= 8.82450e-011  A 8= 3.21596e-014
A10=-8.57606e-018  A12= 2.19453e-020  A14=-1.28985e-023  A16= 4.04224e-027
第22面
K = 9.92312e+000  A 4= 3.70508e-006  A 6=-1.52834e-008  A 8= 1.21937e-010
A10=-9.11680e-013  A12= 3.95965e-015  A14=-8.67212e-018  A16= 7.15932e-021
各種データ
ズーム比      8.00
焦点距離      20.00    40.00    70.00   110.00   160.00    28.00   136.00
Fナンバー      2.80     2.79     2.79     2.80     3.63     2.79     3.12
画角          37.87    21.24    12.52     8.05     5.55    29.05     6.52
像高          15.55    15.55    15.55    15.55    15.55    15.55    15.55
レンズ全長   316.08   316.08   316.08   316.08   316.08   316.08   316.08
BF            37.84    37.84    37.84    37.84    37.84    37.84    37.84
d21            0.68    20.64    31.92    38.52    42.42    11.34    40.90
d30           40.63    18.60     8.25     5.51     7.42    28.71     6.13
d33            9.40    11.47    10.54     6.68     0.88    10.67     3.69
入射瞳位置    66.60    93.85   126.42   161.78   195.86    78.32   180.92
射出瞳位置   -66.74   -66.74   -66.74   -66.74   -66.74   -66.74   -66.74
前側主点位置  82.77   118.55   149.56   156.07   111.07    98.82   140.06
後側主点位置  17.84    -2.16   -32.16   -72.16  -122.16     9.84   -98.16
ズームレンズ群データ
群  始面    焦点距離  レンズ構成長  前側主点位置  後側主点位置
1    1      49.61       120.01        67.47         20.12
2   22     -21.90        19.40         2.33        -12.40
3   31     -50.80         3.89        -0.03         -2.22
4   34      31.68        84.24         2.49        -64.04
単レンズデータ
レンズ  始面  焦点距離
1       1    -86.72
2       6   -124.57
3       8    201.97
4      10    139.88
5      12    143.78
6      13   -158.58
7      15   -155.34
8      16    115.79
9      18    134.60
10      20    174.87
11      22    -27.57
12      24     29.81
13      25    -24.04
14      27    -99.76
15      29    101.44
16      31    -30.70
17      32     78.44
18      35     70.62
19      37     64.77
20      39     68.62
21      40    -58.32
22      42     48.41
23      43    -43.76
24      45     46.73
25      47     36.19
26      48    -14.45
27      50     15.97
28      51    -14.70
29      53     65.86
【００５７】
（数値実施例６）
単位 mm
面データ
面番号      r         d        nd        vd       θgF     有効径   焦点距離
1      694.63297   4.70000  1.772499   49.60    0.5520    189.820   -301.091
2      174.35604  36.34541  1.000000    0.00    0.0000    169.744      0.000
3     -345.87005   4.50000  1.772499   49.60    0.5520    165.969   -239.925
4      405.78163   0.15000  1.000000    0.00    0.0000    160.840      0.000
5      320.93254   9.27710  1.717362   29.51    0.5985    160.632    722.711
6      821.58066   7.68311  1.000000    0.00    0.0000    159.840      0.000
7    -4059.76625  14.00000  1.537750   74.70    0.5392    158.879    562.644
8     -282.75571   0.20000  1.000000    0.00    0.0000    158.209      0.000
9     2073.71256   4.40000  1.805177   25.43    0.6100    149.616   -429.504
10      298.46709  15.00000  1.496999   81.54    0.5375    144.938    428.356
11     -737.62866  41.47001  1.000000    0.00    0.0000    144.002      0.000
12      532.77107  17.07760  1.496999   81.54    0.5375    135.521    366.485
13     -275.03106   0.15000  1.000000    0.00    0.0000    136.245      0.000
14      373.83547  12.43394  1.496999   81.54    0.5375    136.338    499.104
15     -735.47108   0.15000  1.000000    0.00    0.0000    135.980      0.000
16      321.89913   8.63668  1.603112   60.64    0.5415    133.169    669.560
17     1546.90558    (可変)  1.000000    0.00    0.0000    132.151      0.000
18      557.31952   1.50000  1.772499   49.60    0.5520     71.754   -117.891
19       78.50944   5.64201  1.000000    0.00    0.0000     65.264      0.000
20      164.90888   1.50000  1.729157   54.68    0.5444     63.828    -53.891
21       31.72254  10.45708  1.846660   23.78    0.6205     54.636     75.846
22       52.66330    (可変)  1.000000    0.00    0.0000     53.044      0.000
23      -73.30788   1.50000  1.610000   66.61    0.5897     46.497   -159.210
24     -298.00359    (可変)  1.000000    0.00    0.0000     46.368      0.000
25     -875.81754   6.25242  1.620411   60.29    0.5427     53.275    250.516
26     -132.80441   0.15000  1.000000    0.00    0.0000     54.724      0.000
27      176.16799  11.10590  1.487490   70.23    0.5300     56.601    140.704
28     -110.61392   0.09304  1.000000    0.00    0.0000     57.235      0.000
29     -123.56943   1.60000  1.805181   25.42    0.6161     57.197   -304.228
30     -248.48383    (可変)  1.000000    0.00    0.0000     57.757      0.000
31      112.13772   1.60000  1.805181   25.42    0.6161     58.549   -175.890
32       62.43663   9.30397  1.487490   70.23    0.5300     57.712    120.246
33     -965.22417   0.15000  1.000000    0.00    0.0000     57.728      0.000
34       83.18976   7.65369  1.620411   60.29    0.5427     57.638    116.748
35     -557.28865    (可変)  1.000000    0.00    0.0000     57.124      0.000
36        0.00000   2.98000  1.000000    0.00    0.0000     30.108      0.000
37     -179.22297   1.40000  1.788001   47.37    0.5559     28.803    -22.476
38       19.83127   7.30654  1.854780   24.80    0.6122     27.176     25.231
39      184.54207   1.40000  1.788001   47.37    0.5559     26.509   -281.614
40      100.64528   5.93408  1.000000    0.00    0.0000     26.008      0.000
41      -34.14071  19.74135  1.772499   49.60    0.5520     25.198    -33.926
42      144.26514   8.40424  1.000000    0.00    0.0000     29.352      0.000
43      -42.19847   1.50000  1.537750   74.70    0.5392     31.637   -112.842
44     -139.25698   5.81819  1.639999   60.08    0.5370     33.783     63.757
45      -32.17170   0.20000  1.000000    0.00    0.0000     34.793      0.000
46     -556.68562   1.50000  2.001000   29.13    0.5997     35.648    -44.157
47       48.50266   8.48932  1.516330   64.14    0.5353     36.268     54.619
48      -63.91886   0.20000  1.000000    0.00    0.0000     37.242      0.000
49       97.82038   7.00000  1.496999   81.54    0.5375     39.012     88.219
50      -77.98223   0.19995  1.000000    0.00    0.0000     39.256      0.000
51       51.78855  10.69086  1.438750   94.93    0.5340     38.517     58.929
52      -48.61993   2.66580  1.000000    0.00    0.0000     37.490      0.000
53      -41.25286   1.50000  2.000690   25.46    0.6133     34.946    -49.541
54     -239.33499   5.00002  1.858956   22.73    0.6284     35.293     62.651
55      -44.73580   8.00000  1.000000    0.00    0.0000     35.428      0.000
56        0.00000  33.00000  1.608590   46.44    0.5664     50.000      0.000
57        0.00000  13.20000  1.516330   64.15    0.5352     50.000      0.000
58        0.00000  10.00000  1.000000    0.00    0.0000     50.000      0.000
像面          ∞
非球面データ
第18面
K = 0.00000e+000  A 4= 1.64562e-007  A 6=-6.22251e-011  A 8= 4.00309e-014
A10=-4.48817e-017  A12= 8.54407e-021
第34面
K = 0.00000e+000  A 4= 2.46591e-009  A 6=-4.58726e-010  A 8= 1.17523e-012
A10=-1.27190e-015  A12= 4.91302e-019
各種データ
ズーム比     30.00
焦点距離       6.50    15.00    35.00    87.00   195.00
Fナンバー      1.49     1.49     1.50     1.50     2.20
画角          40.24    20.14     8.93     3.62     1.62
像高           5.50     5.50     5.50     5.50     5.50
レンズ全長   625.00   625.00   625.00   625.00   625.00
BF            10.00    10.00    10.00    10.00    10.00
d17            3.00    41.48    91.52   148.35   214.18
d22           24.32    22.28    19.63    16.62    13.13
d24          204.21   110.10    45.02    18.79     3.00
d30            1.00    50.31    44.56     1.00     2.87
d35            1.66    10.02    33.46    49.43     1.00
入射瞳位置   121.23   154.58   231.91   454.25   1308.56
射出瞳位置    99.70    99.70    99.70    99.70    99.70
前側主点位置128.20   172.08   280.57   625.62   1927.46
後側主点位置   3.50    -5.00   -25.00   -77.00  -185.00
ズームレンズ群データ
群  始面    焦点距離  レンズ構成長  前側主点位置  後側主点位置
1    1     185.24       176.17       152.55         90.13
2   18     -59.52        19.10         9.38         -2.90
3   23    -159.21         1.50        -0.30         -1.24
4   25     127.78        19.20         5.66         -6.85
5   31      91.10        18.71         6.10         -6.08
6   36      32.27       146.13        48.46          3.16
単レンズデータ
レンズ  始面  焦点距離
1       1   -301.09
2       3   -239.93
3       5    722.71
4       7    562.64
5       9   -429.50
6      10    428.36
7      12    366.49
8      14    499.10
9      16    669.56
10      18   -117.89
11      20    -53.89
12      21     75.85
13      23   -159.21
14      25    250.52
15      27    140.70
16      29   -304.23
17      31   -175.89
18      32    120.25
19      34    116.75
20      37    -22.48
21      38     25.23
22      39   -281.61
23      41    -33.93
24      43   -112.84
25      44     63.76
26      46    -44.16
27      47     54.62
28      49     88.22
29      51     58.93
30      53    -49.54
31      54     62.65
32      56      0.00
33      57      0.00
【００５８】
（数値実施例７）
単位 mm
面データ
面番号      r         d        nd        vd       θgF     有効径   焦点距離
1      724.51066   4.70000  1.772499   49.60    0.5520    186.966   -304.376
2      177.65649  36.34541  1.000000    0.00    0.0000    167.636      0.000
3     -334.43356   4.50000  1.772499   49.60    0.5520    162.797   -221.458
4      355.77432   0.15000  1.000000    0.00    0.0000    157.438      0.000
5      324.36130   9.27710  1.717362   29.51    0.5985    157.379    693.423
6      907.55001   7.19856  1.000000    0.00    0.0000    156.661      0.000
7    -3779.17354  14.00000  1.537750   74.70    0.5392    155.784    523.098
8     -262.92821   0.20000  1.000000    0.00    0.0000    155.250      0.000
9     2878.92552   4.40000  1.805177   25.43    0.6100    146.767   -400.188
10      292.00344  15.00000  1.496999   81.54    0.5375    142.167    412.264
11     -681.78531  38.62132  1.000000    0.00    0.0000    141.277      0.000
12      453.15120  17.07760  1.496999   81.54    0.5375    136.144    339.648
13     -266.88741   0.15000  1.000000    0.00    0.0000    136.665      0.000
14      397.08308  12.43394  1.496999   81.54    0.5375    136.591    500.709
15     -664.88413   0.15000  1.000000    0.00    0.0000    136.231      0.000
16      317.07499   8.63668  1.603112   60.64    0.5415    133.174    656.945
17     1546.90558    (可変)  1.000000    0.00    0.0000    132.164      0.000
18      557.31952   1.50000  1.640000   66.08    0.5581     71.319   -182.508
19       97.99209   5.64201  1.000000    0.00    0.0000     65.632      0.000
20      214.52256   1.50000  1.729157   54.68    0.5444     62.945    -48.133
21       30.18557  10.45708  1.846660   23.78    0.6205     52.168     75.544
22       47.61842    (可変)  1.000000    0.00    0.0000     49.931      0.000
23      -71.94628   1.50000  1.595220   67.74    0.5442     49.979   -133.745
24     -729.38818    (可変)  1.000000    0.00    0.0000     49.590      0.000
25     -679.81078   6.25242  1.620411   60.29    0.5427     51.275    280.916
26     -139.64753   0.15000  1.000000    0.00    0.0000     52.812      0.000
27      161.63045  11.10590  1.487490   70.23    0.5300     54.568    130.942
28     -103.69642   0.09304  1.000000    0.00    0.0000     55.162      0.000
29     -115.91506   1.60000  1.805181   25.42    0.6161     55.114   -287.485
30     -231.48906    (可変)  1.000000    0.00    0.0000     55.655      0.000
31      116.12114   1.60000  1.805181   25.42    0.6161     56.302   -161.121
32       61.16146   9.30397  1.487490   70.23    0.5300     55.510    113.281
33     -559.91890   0.15000  1.000000    0.00    0.0000     55.542      0.000
34       82.12364   7.65369  1.620411   60.29    0.5427     55.408    115.445
35     -557.28865    (可変)  1.000000    0.00    0.0000     54.790      0.000
36        0.00000   2.98000  1.000000    0.00    0.0000     29.889      0.000
37     -119.53265   1.40000  1.788001   47.37    0.5559     28.757    -20.827
38       19.23387   7.30654  1.854780   24.80    0.6122     27.332     24.138
39      207.02673   1.40000  1.788001   47.37    0.5559     26.836   -251.493
40      101.20843   5.93408  1.000000    0.00    0.0000     26.383      0.000
41      -33.16799  19.74135  1.772499   49.60    0.5520     25.805    -38.835
42      416.66150   8.40424  1.000000    0.00    0.0000     31.160      0.000
43      -69.58050   1.50000  1.537750   74.70    0.5392     34.100   -121.779
44     1185.65890   6.48466  1.639999   60.08    0.5370     35.963     59.663
45      -39.53202   0.20000  1.000000    0.00    0.0000     36.795      0.000
46    -5039.22364   1.50000  2.001000   29.13    0.5997     37.289    -50.609
47       51.60133   8.47115  1.516330   64.14    0.5353     37.572     57.747
48      -67.25777   3.00000  1.000000    0.00    0.0000     38.306      0.000
49      108.58243   7.00000  1.496999   81.54    0.5375     39.949     90.079
50      -74.91659   0.19995  1.000000    0.00    0.0000     39.990      0.000
51       49.97442   9.61702  1.438750   94.93    0.5340     38.258     66.546
52      -66.49961   1.00000  1.000000    0.00    0.0000     36.893      0.000
53      -81.44536   1.50000  2.000690   25.46    0.6133     35.200    -43.440
54       95.98213   5.00003  1.858956   22.73    0.6284     34.188     57.226
55     -100.41826   8.00000  1.000000    0.00    0.0000     33.797      0.000
56        0.00000  33.00000  1.608590   46.44    0.5664     50.000      0.000
57        0.00000  13.20000  1.516330   64.15    0.5352     50.000      0.000
58        0.00000  10.00000  1.000000    0.00    0.0000     50.000      0.000
像面         ∞
非球面データ
第18面
K = 0.00000e+000  A 4= 1.56467e-007  A 6=-3.21341e-011  A 8= 4.36636e-014
A10=-4.53647e-017  A12= 8.70059e-021
第34面
K = 0.00000e+000  A 4= 5.77358e-008  A 6=-7.42579e-010  A 8= 1.90416e-012
A10=-2.11010e-015  A12= 8.41523e-019
各種データ
ズーム比     30.00
焦点距離       6.50    14.99    35.00    87.00   195.00
Fナンバー      1.49     1.49     1.50     1.50     2.20
画角          40.24    20.14     8.93     3.62     1.62
像高           5.50     5.50     5.50     5.50     5.50
レンズ全長   622.98   622.98   622.98   622.98   622.98
BF            10.00    10.00    10.00    10.00    10.00
d17            3.00    40.79    90.99   146.86   203.00
d22           11.47    13.58    16.39    19.52    22.66
d24          218.32   118.92    49.52    21.30     3.00
d30            1.00    52.45    45.71     1.00     2.94
d35            1.00     9.05    32.18    46.12     3.20
入射瞳位置   119.74   153.77   236.03   476.35   1374.30
射出瞳位置   114.12   114.12   114.12   114.12   114.12
前側主点位置126.65   170.93   282.79   636.04   1934.51
後側主点位置   3.50    -4.99   -25.00   -77.00  -185.00
ズームレンズ群データ
群  始面    焦点距離  レンズ構成長  前側主点位置  後側主点位置
1    1     179.44       172.84       148.75         87.34
2   18     -62.24        19.10        11.41         -1.18
3   23    -133.74         1.50        -0.10         -1.04
4   25     129.10        19.20         5.91         -6.60
5   31      90.11        18.71         6.32         -5.84
6   36      33.54       146.84        47.96          2.57
単レンズデータ
レンズ  始面  焦点距離
1       1   -304.38
2       3   -221.46
3       5    693.42
4       7    523.10
5       9   -400.19
6      10    412.26
7      12    339.65
8      14    500.71
9      16    656.95
10      18   -182.51
11      20    -48.13
12      21     75.54
13      23   -133.74
14      25    280.92
15      27    130.94
16      29   -287.49
17      31   -161.12
18      32    113.28
19      34    115.44
20      37    -20.83
21      38     24.14
22      39   -251.49
23      41    -38.84
24      43   -121.78
25      44     59.66
26      46    -50.61
27      47     57.75
28      49     90.08
29      51     66.55
30      53    -43.44
31      54     57.23
32      56      0.00
33      57      0.00
【００５９】
【表１】
2020012871.tif 000004
【符号の説明】
【００６０】
Ｌ１  正の屈折力を有する第１レンズ群
Ｌ２  負の屈折力を有する第２レンズ群
Ｌ３・Ｌ４  変倍のために移動する少なくとも１つのレンズ群
【図１】
2020012871.tif 000005
【図２】
2020012871.tif 000006
【図３】
2020012871.tif 000007
【図４】
2020012871.tif 000008
【図５】
2020012871.tif 000009
【図６】
2020012871.tif 000010
【図７】
2020012871.tif 000011
【図８】
2020012871.tif 000012
【図９】
2020012871.tif 000013
【図１０】
2020012871.tif 000014
【図１１】
2020012871.tif 000015
【図１２】
2020012871.tif 000016
【図１３】
2020012871.tif 000017
【図１４】
2020012871.tif 000018
【図１５】
2020012871.tif 000019
【図１６】
2020012871.tif 000020